(57)【要約】【課題】オス部材を取り囲むように雌ネジが設けられたオスコネクタを清掃するために使用することができる拭き取りチップを提供する。【解決手段】チップ１１０は、オス部材９１１と外筒９１３との間の隙間９１６に挿入可能な筒状部１１１を備える。隙間９１６に筒状部１１１を挿入したとき、筒状部１１１の内腔１１２内にオス部材９１１が挿入される。筒状部１１は吸水性を有している。【選択図】図２
2020110687.tif 000002
【特許請求の範囲】
【請求項１】
筒状のオス部材と、前記オス部材を取り囲む外筒と、前記外筒の前記オス部材に対向する内周面に設けられた雌ネジとを備えたオスコネクタを拭き取り清掃するための拭き取りチップであって、
前記オス部材と前記外筒との間の隙間に挿入可能な筒状部を備え、
前記隙間に前記筒状部を挿入したとき、前記筒状部の内腔内に前記オス部材が挿入されるように構成され、
前記筒状部は吸水性を有することを特徴とする拭き取りチップ。
【請求項２】
前記筒状部は、中空の円筒形状を有する請求項１に記載の拭き取りチップ。
【請求項３】
前記筒状部の先端に、外向きに突出した突起が設けられている請求項１又は２に記載の拭き取りチップ。
【請求項４】
前記突起は、前記筒状部の周方向に連続する環状の突起である請求項３に記載の拭き取りチップ。
【請求項５】
前記筒状部が設けられた把持部を更に備え、
前記把持部は、前記筒状部より大きな外径を有する請求項１〜４のいずれか一項に記載の拭き取りチップ。
【請求項６】
前記筒状部が設けられた把持部を更に備え、
前記把持部に平坦な把持面が設けられている請求項１〜５のいずれか一項に記載の拭き取りチップ。
【請求項７】
前記筒状部を取り囲むカバー筒を更に備え、
前記カバー筒は、前記筒状部と前記カバー筒との間に、オスコネクタの前記外筒を挿入することができるように構成されている請求項１〜６のいずれか一項に記載の拭き取りチップ。
【請求項８】
前記筒状部を前記オス部材と前記外筒との間の隙間に挿入したときに液状物が流れる流路が前記筒状部と前記オスコネクタとの間に形成されるように、前記筒状部に流路形成構造が設けられている請求項１〜７のいずれか一項に記載の拭き取りチップ。
【請求項９】
前記流路形成構造は、前記筒状部の外周面又は内周面に設けられた溝である請求項８に記載の拭き取りチップ。
【請求項１０】
前記筒状部の外周面に、前記雌ネジと螺合する螺合構造が設けられている請求項１〜９のいずれか一項に記載の拭き取りチップ。
【請求項１１】
前記螺合構造は、前記筒状部を１回以上周回する螺旋状の雄ネジである請求項１０に記載の拭き取りチップ。
【請求項１２】
前記螺合構造は、前記筒状部の中心軸に対して１８０度未満の角度の範囲内に設けられた突起である請求項１０に記載の拭き取りチップ。
【発明の詳細な説明】
【技術分野】
【０００１】
本発明は、経腸栄養法に好ましく用いられるオスコネクタを清掃するための拭き取りチップに関する。
【背景技術】
【０００２】
食事を口から摂れなくなった患者に栄養剤や薬剤等を含む液状物を投与する方法として経腸栄養法が知られている。経腸栄養法では、カテーテルを体外から消化管（例えば胃）内に挿入した状態で患者に留置する。カテーテルとしては、患者の鼻から挿入する経鼻カテーテルや、患者の腹に形成された胃ろうに挿入するＰＥＧ（Percutaneous Endoscopic Gastrostomy）カテーテル等が知られている。カテーテルを介して栄養剤、流動食（一般に「経腸栄養剤」と呼ばれる）、又は薬剤などの液状物が患者に投与される。患者に液状物を投与する際には、液状物を貯留した容器と、患者に留置されたカテーテル（経鼻カテーテル、ＰＥＧカテーテルなど）とが、柔軟性を有するチューブを介して連通される。チューブとチューブ、及び、チューブとカテーテルとは、オスコネクタとメスコネクタとからなる接続具を介して接続される。従来、液状物の流れに関して上流側（容器側）のコネクタ（以下「容器側コネクタ」という）としてオスコネクタが、また、下流側（患者側）のコネクタ（以下「患者側コネクタ」という）としてメスコネクタが、それぞれ用いられていた（例えば特許文献１参照）。
【０００３】
近年、経腸栄養以外の分野で使用されるコネクタとの誤接続を防止するために、患者側コネクタとして図１８Ａ及び図１８Ｂに示すオスコネクタ９１０が、また、容器側コネクタとして図１９Ａ及び図１９Ｂに示すメスコネクタ９２０が、栄養系の医療機器に関する国際規格ＩＳＯ８０３６９−３として国際標準化することが検討されている。
【０００４】
図１８Ａ及び図１８Ｂに示すオスコネクタ（患者側コネクタ）９１０は、筒形状のオス部材９１１と、オス部材９１１を取り囲む外筒９１３とを有する。オス部材９１１と外筒９１３とは、オス部材９１１の基端部から半径方向に沿ってフランジ状に突出した底板９１４を介して連結されている。オス部材９１１の外周面９１２は、先端に近づくにしたがって外径が小さくなるテーパ面（いわゆるオステーパ面）である。オス部材９１１には、その長手方向に沿ってオス部材９１１を貫通する流路９１７が形成されている。外筒９１３のオス部材９１１に対向する内周面には雌ネジ９１５が形成されている。
【０００５】
図１９Ａ及び図１９Ｂに示すメスコネクタ（容器側コネクタ）９２０は、中空円筒形状の管状部（メス部材）９２１を有する。管状部９２１の内周面９２２は、先端に近づくにしたがって内径が大きくなるテーパ面（いわゆるメステーパ面）である。管状部９２１の外周面には螺状突起（雄ネジ）９２５が形成されている。
【０００６】
オスコネクタ９１０とメスコネクタ９２０とは、オス部材９１１を管状部９２１に挿入し、且つ、雌ネジ９１５と螺状突起９２５とを螺合させることにより接続される。オス部材９１１の外周面９１２と管状部９２１の内周面９２２とは、径及びテーパ角度が一致するテーパ面であるから、両者は液密な面接触をする。互いに螺合する雌ネジ９１５及び螺状突起９２５は、オスコネクタ９１０とメスコネクタ９２０との接続状態をロックするためのロック機構を構成する。オスコネクタ９１０とメスコネクタ９２０とは、液密性（液状物に圧力を加えてもオスコネクタ９１０とメスコネクタ９２０との接続部分から液状物が漏れ出さない性質）と接続強度（接続されたオスコネクタ９１０とメスコネクタ９２０とが引張り力を加えても分離しない性質）に優れた接続を提供する。
【先行技術文献】
【特許文献】
【０００７】
【特許文献１】国際公開第２００８／１５２８７１号パンフレット
【発明の概要】
【発明が解決しようとする課題】
【０００８】
オスコネクタ９１０では、外筒９１３がオス部材９１１を取り囲み、外筒９１３の内周面には雌ネジ９１５が設けられている。従って、経腸栄養法を行った後、オス部材９１１と外筒９１３との間の隙間９１６内（例えば雌ネジ９１５の谷内）に液状物（経腸栄養剤）が残留しやすい。
【０００９】
オスコネクタ９１０が患者に挿入されたカテーテルの上流側端に設けられている場合には、オスコネクタ９１０は当該カテーテルとともに患者に留置され続ける。カテーテルの交換は、ＰＥＧカテーテルの場合、通常１〜３ヶ月ごとに行われる。液状物が残留したオスコネクタ９１０がこのように長期にわたって患者に留置され続けると、オスコネクタ９１０は不衛生状態に至りうる。そして、遂には、オスコネクタ９１０内で菌が繁殖し、当該菌が患者の体内に侵入し、重症な合併症を引き起こす可能性がある。従って、オスコネクタ９１０を清浄に洗浄することが望まれる。
【００１０】
ところが、オス部材９１１の外周面９１２と外筒９１３の雌ネジ９１５との間の間隔は非常に狭い。従って、オス部材９１１と外筒９１３との間の隙間９１６に例えば綿棒を挿入して、雌ネジ９１５の谷や底板９１４などに付着した液状物を拭き取ることは困難である。
【００１１】
本発明は、オス部材を取り囲むように雌ネジが設けられたオスコネクタを清掃するために使用することができる拭き取りチップを提供することを目的とする。
【課題を解決するための手段】
【００１２】
本発明の拭き取りチップは、筒状のオス部材と、前記オス部材を取り囲む外筒と、前記外筒の前記オス部材に対向する内周面に設けられた雌ネジとを備えたオスコネクタを拭き取り清掃するために使用される。前記チップは、前記オス部材と前記外筒との間の隙間に挿入可能な筒状部を備える。前記チップは、前記隙間に前記筒状部を挿入したとき、前記筒状部の内腔内に前記オス部材が挿入されるように構成されている。前記筒状部は吸水性を有する。
【発明の効果】
【００１３】
本発明のチップの筒状部は、オスコネクタのオス部材と外筒との間の隙間に挿入可能であり、当該隙間に筒状部を挿入したとき筒状部の内腔内にオス部材が挿入される。筒状部は吸水性を有している。このため、筒状部をオス部材と外筒との間の隙間に挿入すれば、当該隙間内に残留した液状物は筒状部に吸収される。筒状部をオスコネクタに対して挿抜することにより、当該隙間内の液状物を筒状部で拭き取ることができる。その結果、オスコネクタの隙間内を常に清浄な状態に維持することができる。
【図面の簡単な説明】
【００１４】
【図１】図１Ａは、本発明の実施形態１−１に係る拭き取りチップの上方から見た斜視図、図１Ｂはその下方から見た斜視図、図１Ｃはその側面図、図１Ｄは図１Ｃの１Ｄ−１Ｄ線を含む面に沿った断面図である。
【図２】図２Ａは、本発明の実施形態１−１に係る拭き取りチップの使用直前の状態を示す斜視図、図２Ｂはその断面図である。
【図３】図３Ａは、本発明の実施形態１−１に係る拭き取りチップの使用方法を示す斜視図、図３Ｂはその断面図である。
【図４】図４Ａは、本発明の実施形態１−２に係る拭き取りチップの上方から見た斜視図、図４Ｂはその下方から見た斜視図、図４Ｃはその側面図、図４Ｄは図４Ｃの４Ｄ−４Ｄ線を含む面に沿った断面図である。
【図５】図５Ａは、本発明の実施形態１−３に係る拭き取りチップの上方から見た斜視図、図５Ｂはその下方から見た斜視図、図５Ｃはその側面図、図５Ｄは図５Ｃの５Ｄ−５Ｄ線を含む面に沿った断面図である。
【図６】図６Ａは、本発明の実施形態１−４に係る拭き取りチップの上方から見た斜視図、図６Ｂはその下方から見た斜視図、図６Ｃはその側面図、図６Ｄは図６Ｃの６Ｄ−６Ｄ線を含む面に沿った断面図である。
【図７】図７Ａは、本発明の実施形態２−１に係る拭き取りチップの上方から見た斜視図、図７Ｂはその下方から見た斜視図、図７Ｃはその側面図、図７Ｄは図７Ｃの７Ｄ−７Ｄ線を含む面に沿った断面図である。
【図８】図８は、本発明の実施形態２−１に係る拭き取りチップの使用直前の状態を示す斜視図である。
【図９】図９Ａは、本発明の実施形態２−１に係る拭き取りチップの使用方法を示す斜視図、図９Ｂはその断面図である。
【図１０】図１０Ａは、本発明の実施形態２−２に係る拭き取りチップの上方から見た斜視図、図１０Ｂはその下方から見た斜視図、図１０Ｃはその断面図、図１０Ｄはその下面図である。
【図１１】図１１は、本発明の実施形態２−２に係る拭き取りチップの使用方法を示す断面図である。
【図１２】図１２Ａは、本発明の実施形態２−３に係る拭き取りチップの上方から見た斜視図、図１２Ｂはその下方から見た斜視図、図１２Ｃはその側面図、図１２Ｄは図１２Ｃの１２Ｄ−１２Ｄ線を含む面に沿った断面図である。
【図１３】図１３Ａは、本発明の実施形態３−１に係る拭き取りチップの上方から見た斜視図、図１３Ｂはその下方から見た斜視図、図１３Ｃはその側面図、図１３Ｄは図１３Ｃの１３Ｄ−１３Ｄ線を含む面に沿った断面図である。
【図１４】図１４は、本発明の実施形態３−１に係る拭き取りチップの使用直前の状態を示す斜視図である。
【図１５】図１５Ａは、本発明の実施形態３−１に係る拭き取りチップの使用方法を示す斜視図、図１５Ｂはその断面図である。
【図１６】図１６Ａは、本発明の実施形態３−２に係る拭き取りチップの上方から見た斜視図、図１６Ｂはその下方から見た斜視図、図１６Ｃはその側面図、図１６Ｄは図１６Ｃの１６Ｄ−１６Ｄ線を含む面に沿った断面図、図１６Ｅはその下面図である。
【図１７】図１７Ａは、本発明の実施形態３−３に係る拭き取りチップの上方から見た斜視図、図１７Ｂはその下方から見た斜視図、図１７Ｃはその側面図、図１７Ｄは図１７Ｃの１７Ｄ−１７Ｄ線を含む面に沿った断面図、図１７Ｅはその下面図である。
【図１８】図１８Ａは、ＩＳＯ８０３６９−３として検討されているオスコネクタの斜視図である。図１８Ｂは、当該オスコネクタの中心軸を含む面に沿った断面図である。
【図１９】図１９Ａは、ＩＳＯ８０３６９−３として検討されているメスコネクタの斜視図である。図１９Ｂは、当該メスコネクタの中心軸を含む面に沿った断面図である。
【発明を実施するための形態】
【００１５】
上記の本発明のチップにおいて、前記筒状部は、中空の円筒形状を有することが好ましい。これにより、筒状部の形状を簡単化することができるので、製造が容易で、低コストのチップを提供できる。
【００１６】
前記筒状部の先端に、外向きに突出した突起が設けられていてもよい。これにより、オスコネクタの清掃性が向上し、また、オスコネクタの隙間に対する筒状部の挿入作業性が向上する。
【００１７】
前記突起は、前記筒状部の周方向に連続する環状の突起であってもよい。これにより、筒状部の強度が向上するので、オスコネクタの隙間に対する筒状部の挿入作業性が更に向上する。
【００１８】
上記の本発明のチップは、前記筒状部が設けられた把持部を更に備えてもよい。この場合、前記把持部は、前記筒状部より大きな外径を有することが好ましい。これにより、作業者は、チップの把持部をしっかりと把持することができるので、オスコネクタの清掃作業性が向上する。
【００１９】
上記の本発明のチップは、前記筒状部が設けられた把持部を更に備えてもよい。この場合、前記把持部に平坦な把持面が設けられていることが好ましい。これにより、作業者は、チップの把持面を摘まんでオスコネクタを清掃できるので、オスコネクタの清掃作業性が向上する。また、チップを摘まむべき位置が特定されるので、作業者の指が筒状部に触れる可能性が低下し、筒状部の清潔性を維持しやすい。
【００２０】
上記の本発明のチップは、前記筒状部を取り囲むカバー筒を更に備えてもよい。この場合、前記カバー筒は、前記筒状部と前記カバー筒との間に、オスコネクタの前記外筒を挿入することができるように構成されていることが好ましい。これにより、オスコネクタの清掃時に、液状物が外界に漏出して患者の衣服を汚すなどの事態が生じる可能性が低減する。また、カバー筒の内周面でオスコネクタの外筒の外周面を清掃することができる。
【００２１】
前記筒状部を前記オス部材と前記外筒との間の隙間に挿入したときに液状物が流れる流路が前記筒状部と前記オスコネクタとの間に形成されるように、前記筒状部に流路形成構造が設けられていてもよい。これにより、筒状部がより多くの液状物を吸収することができるようになるので、オスコネクタの清掃時に、液状物がオスコネクタの外筒からあふれ出て、外筒の外周面が液状物で汚れたり、患者の衣服を汚したりする事態が生じる可能性が低減する。流路形成構造は、筒状部の外周面及び内周面のいずれに設けられていてもよい。流路形成構造を筒状部の外周面に設けた場合には、オスコネクタの隙間内に残留している、細菌を含むかも知れない液状物が、オス部材を通って患者の体内に流入するリスクを低減することもできる。
【００２２】
前記流路形成構造は、前記筒状部の外周面又は内周面に設けられた溝であり得る。これにより、流路形成構造の構成を簡単化することができるので、流路形成構造を備えたチップの製造が容易になり、チップを低コスト化することができる。
【００２３】
前記筒状部の外周面に、前記雌ネジと螺合する螺合構造が設けられていてもよい。これにより、オスコネクタの雌ネジの清掃性が向上する。また、オスコネクタの清掃時に、外筒からあふれ出る液状物を減少させることができる。
【００２４】
前記螺合構造は、前記筒状部を１回以上周回する螺旋状の雄ネジであってもよい。これにより、螺合構造の長さが長くなるので、螺合構造により多くの液状物を吸収させることができる。
【００２５】
あるいは、前記螺合構造は、前記筒状部の中心軸に対して１８０度未満の角度の範囲内に設けられた突起であってもよい。このような突起は、オスコネクタの雌ネジに対する摺動抵抗が小さいので、オスコネクタの清掃を行うときの作業者の負担を軽減するのに有利である。このような突起は、螺旋に沿って延びた螺状突起と、ドーム状に突出した単なる突起の両方を含む。
【００２６】
以下に、本発明を好適な実施形態を示しながら詳細に説明する。但し、本発明は以下の実施形態に限定されないことはいうまでもない。以下の説明において参照する各図は、説明の便宜上、本発明の実施形態を構成する主要部材を簡略化して示したものである。従って、本発明は以下の各図に示されていない任意の部材を備え得る。また、本発明の範囲内において、以下の各図に示された各部材を変更または省略し得る。以下に示す実施形態に、他の１以上の実施形態を組み合わせることができる。以下に示す図において、同一の部材又は要素には同一の符号が付してあり、それらについての重複する説明を省略する。
【００２７】
［実施形態１］
本発明の実施形態１の拭き取りチップ（以下、単に「チップ」という）は、ＩＳＯ８０３６９−３に準拠したオスコネクタのオス部材と外筒との間の隙間に挿入可能な筒状部を備える。以下に実施形態１のチップの好適な具体例を示す。
【００２８】
（実施形態１−１）
図１Ａは、本発明の実施形態１−１に係るチップ１１０の上方から見た斜視図、図１Ｂはチップ１１０の下方から見た斜視図、図１Ｃはチップ１１０の側面図、図１Ｄはチップ１１０の断面図である。チップ１１０は、貫通孔が長手方向に貫通する中空の円筒形状を有している。チップ１１０の内径及び外径は、チップ１１０の長手方向において一定である。チップ１１０は、その全体が吸水性を有する材料で構成されている。
【００２９】
図２Ａは、チップ１１０の使用直前の状態を示す斜視図、図２Ｂはその断面図である。
【００３０】
チップ１１０は、オスコネクタ９５０を清掃するために使用することができる。オスコネクタ９５０は、図１８Ａ及び図１８Ｂに示したオスコネクタ９１０と同様にＩＳＯ８０３６９−３に準拠している。図２Ａ及び図２Ｂにおいて、図１８Ａ及び図１８Ｂに示したオスコネクタ９１０の構成要素と同じ構成要素には同じ符号が付してあり、それらについての説明を省略する。オスコネクタ９５０は、オス部材９１１とは反対側端に接続部９５１を備える。接続部９５１は、オス部材９１１に形成された流路９１７と連通し、その内周面はオス部材９１１と同軸の円筒面である。図示を省略するが、接続部９５１内に、柔軟性を有するチューブが挿入され固定される。チューブは、患者に留置されたカテーテル（経鼻カテーテル、ＰＥＧカテーテルなど）でありうる。あるいは、チューブは、当該カテーテルに接続されたチューブであってもよい。作業者がオスコネクタ９５０を保持しやすいように、一対の把持突起９５３が接続部９５１を挟んでいる。オスコネクタ９５０は例示に過ぎず、特にＩＳＯ８０３６９−３で規定されていない部分の形状は任意に変更しうる。例えば把持突起９５３の形状を変更してもよく、あるいは、把持突起９５３を省略してもよい。チューブがオスコネクタ９５０の接続部９５１内に挿入されるのではなく、接続部９５１が、チューブ内に挿入することができるように構成されていてもよい。
【００３１】
経腸栄養法を行う場合、患者側コネクタであるオスコネクタ９５０に、図１９Ａ及び図１９Ｂに示したメスコネクタ（容器側コネクタ）９２０を接続して、これらを介して患者に液状物（経腸栄養剤）を投与する。その後、メスコネクタ９２０をオスコネクタ９５０から分離する。上述したように、分離後のオスコネクタ９５０のオス部材９１１と外筒９１３との間の隙間９１６内には液状物が残留していることがある。チップ１１０は、この液状物を拭き取るために使用される。図２Ａ及び図２Ｂに示すように、チップ１１０の一端の円筒形状を有する筒状部１１１を、オスコネクタ９５０に対向させ、オス部材９１１と外筒９１３との間の隙間９１６に挿入する。オス部材９１１は、筒状部１１１の内腔１１２に挿入される。
【００３２】
図３Ａは、チップ１１０の筒状部１１１をオスコネクタ９５０の隙間９１６内に挿入した状態を示した斜視図、図３Ｂはその断面図である。図３Ｂに示されているように、好ましくは筒状部１１１の先端がオスコネクタ９５０の底板９１４に当接するまで、筒状部１１１をオスコネクタ９５０に挿入する。チップ１１０の筒状部１１１は吸水性を有するので、オスコネクタ９５０の隙間９１６内に残留した液状物は、筒状部１１１に触れると筒状部１１１に吸い込まれる。その後、チップ１１０をオスコネクタ９５０から引き抜く。液状物は、筒状部１１１内に保持された状態で、筒状部１１１とともにオスコネクタ９５０から除去される。筒状部１１１をオスコネクタ９５０の隙間９１６に挿抜することにより、筒状部１１１が、オスコネクタ９５０のオス部材９１１の外周面、外筒９１３の内周面、及び底板９１４上を摺動し、これらに付着した液状物を拭き取ることができる。液状物に含まれる固形物も、液状物とともに筒状部１１１によって拭き取られ除去される。筒状部１１１をオスコネクタ９５０に挿入した状態でチップ１１０をオスコネクタ９５０に対して回転（例えば、回転方向を交互に反転させて回転）させると、液状物の拭き取り効果が向上する。
【００３３】
このように、本実施形態のチップ１１０は、その一端に、中空円筒形状を有する筒状部１１１を備える。筒状部１１１は、オスコネクタ９５０のオス部材９１１と外筒９１３との間の隙間９１６に挿入可能であり、オス部材９１１は筒状部１１１の内腔１１２内に挿入可能である。筒状部１１１は吸水性を有している。このため、筒状部１１１をオスコネクタ９５０の隙間９１６に挿入すれば、当該隙間９１６内に残留した液状物は筒状部１１１に吸収される。筒状部１１１をオスコネクタ９５０に対して挿抜することにより、液状物はこれに含まれる固形物とともに拭き取られる。従って、経腸栄養法を行った後にチップ１１０を用いてオスコネクタ９５０を清掃することにより、オスコネクタ９５０の隙間９１６内を常に清浄な状態に維持することができる。
【００３４】
筒状部１１１は、中空の円筒形状を有する。このような筒状部１１１は、形状が簡単であるので、製造が容易である。このため、オスコネクタ９５０の清掃に特化した清掃能力の高い筒状部１１１を備えたチップ１１０を低コストで提供することができる。
【００３５】
筒状部１１１の外径は、筒状部１１１をオスコネクタ９５０の外筒９１３内に挿入することができるように設定される。また、筒状部１１１の内径は、筒状部１１１内にオスコネクタ９５０のオス部材９１１を挿入することができるように設定される。その一方で、筒状部１１１の外周面が外筒９１３に設けられた雌ネジ９１５のネジ山から離間したり、筒状部１１１の内周面がオス部材９１１の外周面９１２から離間したりすると、雌ネジ９１５やオス部材９１１に付着した液状物の拭き取り効果が低下する可能性がある。従って、筒状部１１１の外径は、雌ネジ９１５の内径とほぼ同じかこれよりわずかに大きく設定しうる。また、筒状部１１１の内径は、オス部材９１１の外周面９１２の最大外径とほぼ同じかこれよりわずかに小さく設定しうる。これにより、オスコネクタ９５０の隙間９１６に対する筒状部１１１の挿入作業性を確保しながら、外筒９１３の内周面及びオス部材９１１の外周面に付着した液状物の良好な拭き取り効果が得られる。
【００３６】
筒状部１１１が隙間９１６内の液状物を吸収するのにある程度の時間を要することがある。このため、オスコネクタ９５０の隙間９１６に筒状部１１１を素早く挿入すると、隙間９１６内の液状物が、筒状部１１１に吸収されるより前に、当該隙間９１６からあふれ出る事態が起こりうる。外筒９１３の内周面には雌ネジ９１５が形成されている。従って、隙間９１６内の液状物の多くは、雌ネジ９１５のネジ溝を通って筒状部１１１と外筒９１３との間を上昇して外筒９１３から外界にあふれ出る。このため、筒状部１１１とオス部材９１１との間を通って上昇する液状物は相対的に少ない。従って、液状物がオス部材９１１の流路９１７内に流入する可能性が低い。オスコネクタ９５０の衛生状態が悪く、隙間９１６内に細菌が繁殖している場合には、筒状部１１１を隙間９１６内に挿入したときに隙間９１６からあふれ出る液状物が細菌を含んでいる可能性がある。しかしながら、筒状部１１１を挿入することによって隙間９１６内の液状物があふれ出るようなことがあったとしても、あふれ出た液状物がオス部材９１１の流路９１７内に流入する可能性は低いから、細菌が患者の体内に侵入するリスクは低い。なお、仮に筒状部１１１とオス部材９１１との間を通って液状物があふれ出たとしても、そのような液状物の多くは、筒状部１１１の内周面に付着し、筒状部１１１に吸収される。
【００３７】
チップ１１０は、対称な両端を有している。従って、筒状部１１１とは反対側の筒状部１１１’を上記と同様にオスコネクタ９５０に挿入してオスコネクタ９５０を清掃することができる。例えば、最初に一方の筒状部１１１をオスコネクタ９５０に挿入して液状物の大部分を拭き取り、その後、他方の筒状部１１１’をオスコネクタ９５０に挿入して残留するわずかな液状物をきれいに拭き取ることができる。
【００３８】
筒状部１１１は、吸水性を有する任意の材料からなる。例えば、発泡体や不織布などの毛細管現象を利用して吸水することができる吸水材を用いることができる。このような吸水材は、液状物内に含まれる固形物をその組織内の隙間に取り込むことができるので、液状物の拭き取り能が高い。吸水材の材料としては、例えば、ウレタン、ＰＶＡ（ポリビニルアルコール）、シリコーン、ポリスチレン、ＥＶＡ（エチレンビニルアセテート）などを用いることができる。筒状部１１１は、公知の高吸水性ポリマーを含んでいてもよい。
【００３９】
筒状部１１１は、オスコネクタ９５０の隙間９１６内に、特に好ましくは底板９１４に到達するまで深く、挿入することができる程度の強度を有することが好ましい。但し、筒状部１１１は、雌ネジ９１５のネジ山や、オス部材９１１のオステーパ面９１２の外径の変化に応じて適宜変形できる程度の弾性（ゴム弾性）又は柔軟性を有していることが好ましい。筒状部１１１が硬質材料からなると、筒状部１１１をオスコネクタ９５０に対して挿抜するときにオスコネクタ９５０の表面に微細な傷を付けてしまう可能性がある。傷は菌が繁殖する可能性を増大させる。筒状部１１１の硬度は、オスコネクタ９５０の硬度と同じかこれより低いことが好ましい。
【００４０】
本実施形態では、筒状部１１１を含むチップ１１０の全体が、同一の材料で一部品として一体的に製造されている。チップ１１０の製造方法は、制限はないが、例えばプレス成型、トランスファー成型などの方法を用いうる。
【００４１】
（実施形態１−２）
図４Ａは、本発明の実施形態１−２に係るチップ１２０の上方から見た斜視図、図４Ｂはその下方から見た斜視図、図４Ｃはその側面図、図４Ｄはその断面図である。チップ１２０は、中空円筒形状を有する外筒部１２５と、外筒部１２５内の中実円筒形状の封止部１２６との２つの部分で構成されている。
【００４２】
外筒部１２５は、実施形態１−１で説明した吸水性を有する材料で構成されている。封止部１２６は外筒部１２５より短い。封止部１２６は、その一端が、外筒部１２５の一端と一致するように外筒部１２５内に挿入されている。チップ１２０のうち、封止部１２６が挿入されている部分は、把持部１２３である。外筒部１２５のうち封止部１２６が挿入されていない部分は、筒状部１１１である。
【００４３】
本実施形態のチップ１２０の使用方法は、実施形態１−１のチップ１１０と同様である。即ち、筒状部１１１をオスコネクタ９５０の隙間９１６に挿入して、オスコネクタ９５０を拭き取り清掃する。
【００４４】
作業者は、筒状部１１１をオスコネクタ９５０に挿抜するときに、把持部１２３を把持することができる。把持部１２３は中実であるので、高強度である。このため、把持部１２３を作業者が強く把持しても、把持部１２３が縮径するように変形しにくい。従って、本実施形態１−２のチップ１２０は、オスコネクタ９５０の清掃作業性の向上に有利である。
【００４５】
封止部１２６の材料は任意である。例えば、ポリアセタール、ポリカーボネート、ポリスチレン、ポリアミド、ポリプロピレン、硬質ポリ塩化ビニル等の樹脂材料を用いうる。把持部１２３の強度を向上させるために、外筒部１２５より高強度且つ硬質の材料を用いることが好ましい。もちろん、封止部１２６が、外筒部１２５と同じ吸水性を有する材料で構成されていてもよい。
【００４６】
チップ１２０の製造方法は、任意である。例えば、外筒部１２５及び封止部１２６をそれぞれ別個に製造し、その後、外筒部１２５内に封止部１２６を挿入して両者を一体化させてもよい。あるいは、外筒部１２５及び封止部１２６のうちの一方を製造した後、これに二色成形法により他方を一体化させてもよい。
【００４７】
本実施形態では、外筒部１２５と封止部１２６とが別個の部材であるが、後述する実施形態１−３と同様に、外筒部１２５と封止部１２６とを、吸水性を有する同一の材料を用いて一部品として一体的に製造することもできる。
【００４８】
本実施形態１−２において、外筒部１２５の長手方向の中央部分にのみ封止部１２６を配置して、外筒部１２５の両端に、オスコネクタ９５０に挿入な可能な筒状部１１１を設けてもよい。
【００４９】
本実施形態１−２は、上記を除いて実施形態１−１と同じである。実施形態１−１の説明は本実施形態１−２にも適用されうる。
【００５０】
上述した本実施形態１−２の把持部１２３を、他の任意の実施形態に適用することができる。
【００５１】
（実施形態１−３）
図５Ａは、本発明の実施形態１−３に係るチップ１３０の上方から見た斜視図、図５Ｂはその下方から見た斜視図、図５Ｃはその側面図、図５Ｄはその断面図である。
【００５２】
チップ１３０は、一端に筒状部１１１を備え、他端に把持部１３３を備える。把持部１３３は、中実の略円筒形状を有し、実施形態１−２の把持部１２３と同様に機能する。チップ１３０は、実施形態１−１で説明した吸水性を有する材料からなり、全体が一部品として一体的に製造されている。
【００５３】
中空円筒形状を有する筒状部１１１の先端の端縁に沿って、リブ（突起）１３２が半径方向に沿って外向きに突出している。リブ１３２は、筒状部１１１の周方向に連続する環状の突起である。
【００５４】
本実施形態のチップ１３０の使用方法は、実施形態１−１のチップ１１０と同様である。即ち、筒状部１１１をオスコネクタ９５０の隙間９１６に挿入して、オスコネクタ９５０を拭き取り清掃する。
【００５５】
筒状部１１１の先端に設けられたリブ１３２は以下の効果を奏する。
【００５６】
第１に、オスコネクタ９５０の雌ネジ９１５の清掃性が向上する。筒状部１１１がオスコネクタ９５０の隙間９１６に挿抜されるとき、リブ１３２は雌ネジ９１５の谷内に入り込む。これにより、リブ１３２は、雌ネジ９１５の谷の底に付着した液状物に触れてこれを吸収する。
【００５７】
第２に、オスコネクタ９５０の底板９１４の清掃性が向上する。リブ１３２が筒状部１１１の先端に設けられているので、筒状部１１１の先端での厚み（半径方向に沿った筒状部１１１の寸法）がリブ１３２の分だけ増大する。このため、筒状部１１１の先端を底板９１４に当接させたとき、筒状部１１１と底板９１４との接触面積が拡大する。従って、筒状部１１１は、底板９１４を、より広い面積にわたって直接拭き取ることができる。
【００５８】
第３に、オスコネクタ９５０に対する筒状部１１１の挿入作業性が向上する。筒状部１１１の先端にリブ１３２が設けられているので、筒状部１１１の強度が向上する。このため、筒状部１１１をオスコネクタ９５０の隙間９１６に挿入するときに、筒状部１１１が屈曲などの変形をしにくくなる。従って、筒状部１１１の先端を、オスコネクタ９５０の隙間９１６に、オスコネクタ９５０の底板９１４に到達するまで容易に挿入することができる。
【００５９】
リブ１３２での筒状部１１１の外径は、オスコネクタ９５０の隙間９１６に対する挿入作業性と、オスコネクタ９５０に付着した液状物の拭き取り性とを考慮して設定される。
【００６０】
リブ１３２は、筒状部１１１の全周にわたって連続している必要はなく、周方向に分断された突起であってもよい。周方向に分断された複数の突起は、オスコネクタ９５０の雌ネジ９１５の谷に容易に入り込みやすいので、雌ネジ９１５内の液状物の拭き取り性の向上に有利である。一方、上記の例のようにリブ１３２が環状の突起であることは、筒状部１１１の強度の向上に有利である。
【００６１】
本実施形態１−３は、上記を除いて実施形態１−１と同じである。実施形態１−１の説明は本実施形態１−３にも同様に適用されうる。
【００６２】
本実施形態１−３で説明した突起（リブ）を、他の任意の実施形態のチップの筒状部に適用することができる。
【００６３】
（実施形態１−４）
図６Ａは、本発明の実施形態１−４に係るチップ１４０の上方から見た斜視図、図６Ｂはその下方から見た斜視図、図６Ｃはその側面図、図６Ｄはその断面図である。
【００６４】
チップ１４０は、一端に筒状部１１１を備え、他端に把持部１４３を備える。把持部１４３は、実施形態１−３の把持部１３３と同様に、中実の略円筒形状を有し、筒状部１１１と同軸である。但し、実施形態１−３と異なり、把持部１４３は、筒状部１１１よりも大きな外径を有する。チップ１４０は、実施形態１−１で説明した吸水性を有する材料からなり、全体が一部品として一体的に製造されている。
【００６５】
本実施形態のチップ１４０の使用方法は、実施形態１−１のチップ１１０と同様である。即ち、筒状部１１１をオスコネクタ９５０の隙間９１６に挿入して、オスコネクタ９５０を拭き取り清掃する。
【００６６】
作業者は、把持部１４３を把持して、筒状部１１１をオスコネクタ９５０に挿抜することができる。把持部１４３は、筒状部１１１より大きな外径を有する。このため、作業者は、把持部１４３をしっかりと把持することができ、また、チップ１４０に力を加えやすい。これは、オスコネクタ９５０の清掃作業性の向上に有利である。
【００６７】
把持部１４３は、中実である必要はなく、例えば、中空の円筒形状を有していてもよい。
【００６８】
本実施形態１−４は、上記を除いて実施形態１−１と同じである。実施形態１−１の説明は本実施形態１−４にも同様に適用されうる。
【００６９】
本実施形態１−４で説明した拡径した把持部を、他の任意の実施形態のチップの把持部に適用することができる。
【００７０】
［実施形態２］
本発明の実施形態２のチップは、筒状部を取り囲むカバー筒を更に備える。以下に実施形態２のチップの好適な具体例を示す。
【００７１】
（実施形態２−１）
図７Ａは、本発明の実施形態２−１に係るチップ２１０の上方から見た斜視図、図７Ｂはその下方から見た斜視図、図７Ｃはその側面図、図７Ｄはその断面図である。
【００７２】
チップ２１０は、一端に筒状部１１１とカバー筒２１１を備え、他端に把持部２１３を備える。カバー筒２１１は、筒状部１１１と同軸に配された円筒形状を有している。カバー筒２１１は、筒状部１１１から半径方向に離間し、筒状部１１１を取り囲んでいる。把持部２１３は、筒状部１１１及びカバー筒２１１と同軸の中実の略円筒形状を有する。把持部２１３は、カバー筒２１１より大きな外径を有している。但し、本発明はこれに限定されず、例えば把持部２１３の外径は、カバー筒２１１の外径と同じであってもよく、これより小さくてもよい。チップ２１０は、実施形態１−１で説明した吸水性を有する材料からなり、全体が一部品として一体的に製造されている。
【００７３】
本実施形態のチップ２１０の使用方法は、実施形態１−１のチップ１１０と同様である。即ち、図８に示すように、チップ２１０をオスコネクタ９５０に対向させる。そして、チップ２１０の筒状部１１１を、オスコネクタ９５０のオス部材９１１と外筒９１３との間の隙間９１６に挿入する。
【００７４】
図９Ａは、チップ２１０の使用時を示した斜視図、図９Ｂはその断面図である。チップ２１０の筒状部１１１が、オスコネクタ９５０の隙間９１６内に挿入されている。オスコネクタ９５０の外筒９１３は、チップ２１０の筒状部１１１とカバー筒２１１との間に挿入されている。実施形態１−１の場合と同様に、筒状部１１１で、オスコネクタ９５０の隙間９１６内に残留する液状物を拭き取ることができる。
【００７５】
実施形態１−１で説明したように、オスコネクタ９５０の隙間９１６に筒状部１１１を素早く挿入したとき、隙間９１６内の液状物が、雌ネジ９１５のネジ溝を通って隙間９１６からあふれ出ることがある。図９Ｂに示されているように、筒状部１１１を隙間９１６に挿入したとき、外筒９１３はカバー筒２１１内に収納される。従って、隙間９１６からあふれ出た液状物の多くは、カバー筒２１１内にとどまる。カバー筒２１１内にとどめられた液状物は、筒状部１１１の外周面又はカバー筒２１１の内周面に付着しこれらに吸収される。隙間９１６からあふれ出た液状物の一部は、カバー筒２１１と外筒９１３との間を通って外界に向かって流れるかも知れない。この液状物は、カバー筒２１１の内周面に吸収される。これらの結果、オスコネクタ９５０の清掃時に、液状物が外界に漏出して患者の衣服を汚すなどの問題が生じにくい。更に、カバー筒２１１の内周面でオスコネクタ９５０の外筒９１３の外周面を清掃することができる。
【００７６】
カバー筒２１１の内径は、任意に設定しうる。一実施形態では、カバー筒２１１内にオスコネクタ９５０の外筒９１３を容易に収納することができるように、カバー筒２１１の内径は外筒９１３の外径と同じかこれよりわずかに大きく設定してもよい。別の実施形態では、隙間９１６からあふれ出た液状物をカバー筒２１１の内周面で確実に吸収することができるように、カバー筒２１１の内径は外筒９１３の外径よりわずかに小さく設定してもよい。この場合、カバー筒２１１を変形可能な軟質材料で構成することにより、カバー筒２１１内に外筒９１３を挿入することは可能である。更に別の実施形態では、カバー筒２１１の内径は外筒９１３の外径と同じに設定してもよい。
【００７７】
本実施形態では、カバー筒２１１の内周面は滑らかな円筒面であるが、本発明はこれに限定されない。例えば、カバー筒２１１の内周面に、凸部又は凹部が形成されていてもよい。これにより、カバー筒２１１の内周面の有効面積が拡大するので、カバー筒２１１の液状物に対する吸収能が向上する。凸部又は凹部は、限定されないが、例えば、上下方向（筒状部１１１が挿抜される方向）と平行に延びたリブ状の突起及び／又は溝で構成することができる。
【００７８】
本実施形態では、カバー筒２１１は、吸水性を有する材料で構成されているが、吸水性を有しない材料で構成されていてもよい。カバー筒２１１が吸水性を有していなくても、隙間９１６からあふれ出た液状物はカバー筒２１１内にとどめられ、筒状部１１１の外周面に吸収される。
【００７９】
把持部２１３は、筒状部１１１より大きな外径を有するので、実施形態１−４の把持部１４３と同様に、チップ２１０の把持性の向上に有利である。実施形態１−４で説明したように、把持部２１３も、中実である必要はなく、例えば、中空の円筒形状を有していてもよい。
【００８０】
本実施形態２−１は、上記を除いて実施形態１−１と同じである。実施形態１−１の説明は本実施形態２−１にも同様に適用されうる。
【００８１】
本実施形態２−１で説明したカバー筒を、他の任意の実施形態のチップに適用することができる。
【００８２】
（実施形態２−２）
図１０Ａは、本発明の実施形態２−２に係るチップ２２０の上方から見た斜視図、図１０Ｂはその下方から見た斜視図、図１０Ｃはその断面図、図１０Ｄはその下面図である。
【００８３】
チップ２２０は、実施形態２−１のチップ２１０と概略同じである。但し、チップ２２０は、筒状部１１１の外周面に、上下方向（筒状部１１１が挿抜される方向）と平行な複数の溝２２１が設けられている点で、チップ２１０と異なる。チップ２２０は、実施形態１−１で説明した吸水性を有する材料からなり、全体が一部品として一体的に製造されている。
【００８４】
本実施形態のチップ２２０の使用方法は、実施形態２−１のチップ２１０と同様である。即ち、図１１に示すように、筒状部１１１をオスコネクタ９５０の隙間９１６に挿入して、オスコネクタ９５０を拭き取り清掃する。
【００８５】
溝２２１の作用を説明する。
【００８６】
実施形態１−１で説明したように、オスコネクタ９５０の隙間９１６に筒状部１１１を挿入したとき、隙間９１６内の液状物が、雌ネジ９１５のネジ溝を通って隙間９１６からあふれ出ることがある。しかしながら、隙間９１６内へ筒状部１１１を瞬時に挿入した場合や、隙間９１６内に残留している液状物の量が多い場合には、全ての液状物が雌ネジ９１５のネジ溝を通ることができず、筒状部１１１とオス部材９１１との間を通って上昇する液状物が相対的に多くなる。その結果、細菌を含むかも知れない液状物がオス部材９１１の流路９１７内に流入するリスクが高くなる。
【００８７】
本実施形態２−２では、筒状部１１１の外周面に溝２２１が設けられている。このため、図１１から容易に理解できるように、筒状部１１１を隙間９１６に挿入したとき、筒状部１１１と外筒９１３との間に、液状物が流れる流路として、雌ネジ９１５のネジ溝に加えて溝２２１が確保される。従って、上記のような場合であっても、多くの液状物は、筒状部１１１と外筒９１３との間を上昇して外筒９１３から外界にあふれ出る。その結果、筒状部１１１とオス部材９１１との間を通って上昇する液状物はより少なくなり、液状物がオス部材９１１の流路９１７内に流入する可能性が更に低減できる。よって、溝２２１は、液状物とともに細菌が患者の体内に侵入するというリスクを更に低減するのに有利である。
【００８８】
また、溝２２１は、筒状部１１１の外周面の有効面積を拡大させる。このため、液状物が筒状部１１１と外筒９１３との間を上昇する過程で、より多くの液状物が筒状部１１１に吸収される。従って、外筒９１３からあふれ出る液状物の量が少なくなる。これは、オスコネクタ９５０の外筒９１３の外周面が液状物で汚れたり、液状物が外界に漏出して患者の衣服を汚したりする事態が生じるのを防止するのに有利である。
【００８９】
更に、チップ２２０は、カバー筒２１１を備える。このため、実施形態２−１と同様に、オスコネクタ９５０の清掃時に、液状物が外界に漏出して患者の衣服を汚すなどの問題が生じにくい。また、カバー筒２１１の内周面でオスコネクタ９５０の外筒９１３の外周面を清掃することができる。
【００９０】
本実施形態では、筒状部１１１の外周面に溝が形成されていたが、本発明はこれに限定されない。オスコネクタ９５０の隙間９１６に筒状部１１１を挿入したときに隙間９１６内の液状物が流れる流路が筒状部１１１とオスコネクタ９５０との間に形成されるような構造（流路形成構造）が、筒状部１１１に設けられていればよい。流路形成構造は、制限はなく、任意の凸部又は凹部でありうる。例えば、流路形成構造は、上下方向（筒状部１１１が挿抜される方向）と平行な複数のリブ（突起）であってもよい。あるいは、交互に設けられた溝とリブであってもよい。溝及びリブは、上下方向と平行である必要はなく、例えば上下方向に対して傾斜していてもよい。
【００９１】
上述した流路形成構造が、筒状部１１１の外周面に加えて、または、これに代えて、筒状部１１１の内周面に形成されていてもよい。この場合、オスコネクタ９５０の隙間９１６に筒状部１１１を挿入したとき、隙間９１６内の液状物は、筒状部１１１とオス部材９１１との間の流路形成構造を通って上昇しうる。このため、筒状部１１１と外筒９１３との間を通って上昇する液状物の量が減少する。また、流路形成構造は、筒状部１１１の内周面の有効面積を拡大させるので、より多くの液状物が筒状部１１１に吸収される。これらの結果、筒状部１１１と外筒９１３との間を上昇して外筒９１３からあふれ出る液状物の量が少なくなる。筒状部１１１の内周面に形成される流路形成構造を構成する流路の断面積や長さ等を適切に設定することにより、当該流路形成構造を通ってオス部材９１１の流路９１７内に流入する液状物を少なくすることが可能である。
【００９２】
本実施形態２−２は、上記を除いて実施形態２−１と同じである。実施形態２−１の説明は本実施形態２−２にも同様に適用されうる。
【００９３】
本実施形態２−２で説明した流路形成構造を、他の任意の実施形態のチップに適用することができる。流路形成構造は、カバー筒を備えないチップにも適用することができる。
【００９４】
（実施形態２−３）
図１２Ａは、本発明の実施形態２−３に係るチップ２３０の上方から見た斜視図、図１２Ｂはその下方から見た斜視図、図１２Ｃはその側面図、図１２Ｄはその断面図である。
【００９５】
図１２Ｄに最もよく示されているように、チップ２３０は、実施形態２−１のチップ２１０（図７Ａ〜図７Ｄ参照）が有していた把持部２１３に相当する部分が実質的に存在しない。チップ２３０は、ドーム状に膨らんだ天板２３３を備え、その下面に筒状部１１１及びカバー筒２１１が設けられている。チップ２３０は、実施形態１−１で説明した吸水性を有する材料からなり、全体が一部品として一体的に製造されている。
【００９６】
本実施形態のチップ２３０の使用方法は、実施形態２−１のチップ２１０と同様である。即ち、筒状部１１１をオスコネクタ９５０の隙間９１６に挿入して、オスコネクタ９５０を拭き取り清掃する。
【００９７】
チップ２３０は、把持部２１０（図７Ａ〜図７Ｄ参照）を備えない。作業者は、筒状部１１１をオスコネクタ９５０の隙間９１６に挿抜するとき、カバー筒２１１の外周面を把持することができる。カバー筒２１１を直径方向に把持することにより、カバー筒２１１が直径方向にわずかに縮径するように変形する。筒状部１１１をオスコネクタ９５０の隙間９１６に挿入した状態でカバー筒２１１を把持すれば、カバー筒２１１の内周面はオスコネクタ９５０の外筒９１３の外周面に押し付けられる。これは、外筒９１３の外周面の清掃性の向上に有利である。
【００９８】
本実施形態から理解できるように、カバー筒２１１を備える場合には、把持部２１３（図７Ａ〜図７Ｄ参照）を省略、またはその上下方向寸法を小さくしても、オスコネクタ９５０の清掃作業に実質的な支障は生じない。むしろ、チップを小型化することが可能である。
【００９９】
本実施形態２−３のチップ２３０に、実施形態２−２で説明した、筒状部１１１とオスコネクタ９５０との間に液状物が流れる流路が形成されるように筒状部１１１の外周面又は内周面に流路形成構造（例えば凸部又は凹部）を設けてもよい。
【０１００】
本実施形態２−３は、上記を除いて実施形態２−１と同じである。実施形態２−１の説明は本実施形態２−３にも同様に適用されうる。
【０１０１】
［実施形態３］
本発明の実施形態３のチップは、筒状部の外周面に、オスコネクタ９５０の雌ネジ９１５と螺合する螺合構造が設けられている。以下に実施形態３のチップの好適な具体例を示す。
【０１０２】
（実施形態３−１）
図１３Ａは、本発明の実施形態３−１に係るチップ３１０の上方から見た斜視図、図１３Ｂはその下方から見た斜視図、図１３Ｃはその側面図、図１３Ｄはその断面図である。
【０１０３】
チップ３１０は、一端に筒状部１１１を備え、他端に把持部３１３を備える。
【０１０４】
筒状部１１１の外周面には、雄ネジ（螺合構造）３１２が設けられている。雄ネジ３１２は、筒状部１１１の外周面を１回以上周回する螺旋状の突起である。雄ネジ３１２は、オスコネクタ９５０の雌ネジ９１５と螺合可能である。
【０１０５】
把持部３１３は中空の円筒形状を有し、その外径は雄ネジ３１２のネジ山径と略同じである。但し、把持部３１３の形状はこれに限定されない。例えば、把持部３１３の外径は、雄ネジ３１２のネジ山径より大きくても小さくてもよい。把持部３１３が、雄ネジ３１２のネジ山径より小さな外径を有することは、チップ３１０の全体を一部品として一体的に製造する場合に金型抜け性の向上に有利となりうる。実施形態１−２の把持部１２３と同様に、把持部３１３内に封止部が挿入されていてもよく、実施形態１−３の把持部１３３や実施形態１−４の把持部１４３のように、把持部３１３が中実の略円筒形状を有していてもよい。
【０１０６】
チップ３１０は、実施形態１−１で説明した吸水性を有する材料からなり、全体が一部品として一体的に製造されている。
【０１０７】
本実施形態のチップ３１０の使用方法は、実施形態１−１のチップ１１０と同様である。即ち、筒状部１１１をオスコネクタ９５０の隙間９１６に挿入して、オスコネクタ９５０を拭き取り清掃する。
【０１０８】
但し、実施形態１−１と異なり、本実施形態３−１では、筒状部１１１を隙間９１６に挿入するためには、雄ネジ３１２をオスコネクタ９５０の雌ネジ９１５に螺合させなければならない。即ち、図１４に示すように、チップ３１０をオスコネクタ９５０に対向させ、オスコネクタ９５０に対してチップ３１０を回転させながら、筒状部１１１をオスコネクタ９５０の隙間９１６内に螺入する。
【０１０９】
図１５Ａは、筒状部１１１がオスコネクタ９５０の隙間９１６に最も深く螺入した状態を示す斜視図、図１５Ｂはその断面図である。チップ３１０の筒状部１１１が、オスコネクタ９５０のオス部材９１１と外筒９１３との間の隙間９１６内に挿入されている。筒状部１１１の雄ネジ３１２と外筒９１３の雌ネジ９１５とが螺合している。チップ３１０をオスコネクタ９５０から分離するときには、上記とは逆方向にチップ３１０をオスコネクタ９５０に対して回転させて、雄ネジ３１２と雌ネジ９１５との螺合を解除する必要がある。
【０１１０】
筒状部１１１及び雄ネジ３１２は吸水性を有するので、筒状部１１１をオスコネクタ９５０に挿抜することによって隙間９１６内に残留した液状物を筒状部１１１及び雄ネジ３１２で拭き取ることができる。
【０１１１】
雄ネジ３１２の効果を説明する。
【０１１２】
第１に、オスコネクタ９５０の雌ネジ９１５の清掃性が向上する。筒状部１１１をオスコネクタ９５０に挿抜する際には、雄ネジ３１２のネジ山が雌ネジ９１５のネジ溝に嵌入しながら摺動する。このため雌ネジ９１５のネジ溝内に残留する液状物は雄ネジ３１２のネジ山に接触しやすい。従って、雌ネジ９１５の谷の底に付着した液状物をも確実に拭き取ることができる。
【０１１３】
第２に、オスコネクタ９５０の清掃時に外筒９１３からあふれ出る液状物を減少させる。筒状部１１１に雄ネジ３１２が設けられていない場合、実施形態１−１で説明したように筒状部１１１をオスコネクタ９５０の隙間９１６に挿入したとき、隙間９１６内の液状物が雌ネジ９１５のネジ溝を通って筒状部１１１と外筒９１３との間を上昇して外筒９１３から外界にあふれ出る事態が起こりうる。これに対して、本実施形態３−１では、液状物が流れる流路となる雌ネジ９１５のネジ溝を、雄ネジ３１２のネジ山が嵌入することによって塞ぐ。このため、液状物は行き場を失い、筒状部１１１に吸収される液状物の量が増大する。この結果、外筒９１３からあふれ出る液状物が減少する。また、筒状部１１１をオスコネクタ９５０の隙間９１６に挿入するためには、チップ３１０をオスコネクタ９５０に対して回転させる必要がある。このため、雄ネジ３１２が設けられていない筒状部１１１を隙間９１６に挿入する実施形態１，２に比べて、筒状部１１１をオスコネクタ９５０の隙間９１６に挿入するためにより長い時間を要する。従って、筒状部１１１に吸収される液状物の量が増大する。この結果、外筒９１３からあふれ出る液状物が減少する。
【０１１４】
本実施形態３−１は、上記を除いて実施形態１−１と同じである。実施形態１−１の説明は本実施形態３−１にも同様に適用されうる。
【０１１５】
本実施形態３−１で説明した雄ネジ（螺合構造）を、他の任意の実施形態のチップの筒状部に適用することができる。
【０１１６】
（実施形態３−２）
図１６Ａは、本発明の実施形態３−２に係るチップ３２０の上方から見た斜視図、図１６Ｂはその下方から見た斜視図、図１６Ｃはその側面図、図１６Ｄはその断面図、図１６Ｅはその下面図である。
【０１１７】
本実施形態３−２は、以下の点で実施形態３−１と異なる。第１に、筒状部１１１の外周面に設けられた螺合構造が、実施形態３−１では筒状部１１１を周方向に１回以上周回する螺旋状の雄ネジ３１２であったのに対して、本実施形態３−２では、中心軸３２０ａに対して１８０度未満の角度の範囲内で延びた２つの螺状突起（螺合構造）３２２である。第２に、把持部３２３は、実施形態１−３の把持部１３３と同様に、中実の略円筒形状を有する。但し、把持部３２３の外周面の一部が切り取られ、把持部３２３上に中心軸３２０ａと略平行な２つの平面（把持面）３２４が形成されている。２つの把持面３２４は互いに平行である。把持面３２４と、これより筒状部１１１側の円筒面との間に、両者の外寸法差に起因して、チップ３２０の長手方向に対して略垂直な段差面３２５が形成されている。なお、段差面３２５は本実施形態に限定されず、例えば、筒状部１１１に近づくにしたがって中心軸３２０ａから離れるように傾斜していてもよい。段差面３２５は、正確な平面である必要はなく、例えば円筒面状の凹曲面又は凸曲面であってもよい。
【０１１８】
チップ３２０は、実施形態１−１で説明した吸水性を有する材料からなり、全体が一部品として一体的に製造されている。
【０１１９】
本実施形態のチップ３２０の使用方法は、実施形態３−１のチップ３１０と同様である。即ち、筒状部１１１をオスコネクタ９５０の隙間９１６に挿入して、オスコネクタ９５０を拭き取り清掃する。
【０１２０】
実施形態３−１の雄ネジ３１２と同様に、螺状突起３２２はオスコネクタ９５０の雌ネジ９１５と螺合する。このため、螺状突起３２２は、実施形態３−１の雄ネジ３１２と同様の効果を奏する。
【０１２１】
但し、本実施形態の螺状突起３２２は筒状部１１１を周回しておらず、その長さは、実施形態３−１の雄ネジ３１２より短い。このため、雌ネジ９１５に対する摺動抵抗は、実施形態３−１の雄ネジ３１２より、本実施形態３−２の螺状突起３２２の方が小さい。従って、実施形態３−１に比べて、より小さな回転力をチップ３２０に加えるだけで、筒状部１１１をオスコネクタ９５０に対して挿抜することができる。このように、本実施形態の螺状突起３２２は、オスコネクタ９５０の清掃を行うときの作業者の負担を軽減するのに有利である。
【０１２２】
また、把持部３２３上に平坦な把持面３２４が設けられているので、作業者は、この把持面３２４を摘まんでチップ３２０に回転力を加えやすい。更に、作業者は、筒状部１１１をオスコネクタ９５０に挿入するときに、把持面３２４に隣接する段差面３２５にオスコネクタ９５０に向かう力を加えやすい。このため、把持面３２４及び段差面３２５も、オスコネクタ９５０の清掃を行うときの作業者の負担を軽減するのに有利である。また、作業者は自然と把持面３２４でチップ３２０を把持し、しかも、把持面３２４を把持した指が筒状部１１１側に移動するのを段差面３２５が阻止するので、把持面３２４及び段差面３２５は、作業者の指が触れることによって筒状部１１１の清潔性が低下するのを防止するのに有利である。
【０１２３】
把持部３２３上に設けられる把持面３２４の数は２つである必要はなく、１つ又は３つ以上であってもよい。把持面３２４を３つ以上設ける場合には、把持面３２４が正多角柱面を形成するようにチップの中心軸に対して等角度間隔で配置することが好ましい。
【０１２４】
把持面３２４は、本実施形態のような把持部３２３の円筒面の一部を取り除くことにより形成された平面に限定されない。例えば、把持面が、把持部３２３の円筒面に接する平面で構成されてもよい。この場合、把持面に隣接する段差面３２５は形成されない。
【０１２５】
把持部３２３の外径は、筒状部１１１の外径と同じである必要はなく、これより大きくても、小さくてもよい。
【０１２６】
本実施形態３−２は、上記を除いて実施形態３−１と同じである。実施形態３−１の説明は本実施形態３−２にも同様に適用されうる。
【０１２７】
本実施形態３−２で説明した螺状突起（螺合構造）、把持面、及び段差面のうちの少なくとも一つを、他の任意の実施形態のチップに適用することができる。
【０１２８】
（実施形態３−３）
図１７Ａは、本発明の実施形態３−３に係るチップ３３０の上方から見た斜視図、図１７Ｂはその下方から見た斜視図、図１７Ｃはその側面図、図１７Ｄはその断面図、図１７Ｅはその下面図である。
【０１２９】
本実施形態３−３は、筒状部１１１の外周面に設けられた螺合構造が、中心軸３３０ａに対して９０度未満の角度の範囲内で延びた４つの螺状突起（螺合構造）３３２である点で、中心軸に対して９０度以上１８０度未満の角度の範囲内で延びた２つの螺状突起３２２である実施形態３−２と異なる。チップ３３０は、実施形態１−１で説明した吸水性を有する材料からなり、全体が一部品として一体的に製造されている。
【０１３０】
本実施形態のチップ３３０の使用方法は、実施形態３−２のチップ３２０と同様である。本実施形態の螺状突起３３２は筒状部１１１を周回しておらず、その長さは、実施形態３−１の雄ネジ３１２より短い。このため、雌ネジ９１５に対する摺動抵抗は、実施形態３−１の雄ネジ３１２より、本実施形態３−３の螺状突起３３２の方が小さい。従って、実施形態３−２と同様に、オスコネクタ９５０の清掃を行うときの作業者の負担を軽減することができる。
【０１３１】
筒状部１１１に、実施形態３−２では２つの螺状突起３２２が設けられ、本実施形態３−３では４つの螺状突起３３２が設けられているが、螺状突起の数はこれらに限定されず任意である。好ましくは、２以上の螺状突起が、チップの中心軸に対して等角度間隔で設けられる。１つの螺状突起がチップの中心軸に対して延びる角度も任意に設定しうる。螺状突起の前記角度の上限は、制限はないが、１８０度未満、更には１２０度未満、特に９０度未満であることが好ましい。螺状突起の前記角度の下限は、制限はないが、１０度以上、更には３０度以上、特に４５度以上であることが好ましい。一般に、螺状突起の前記角度が小さくなると、螺状突起が吸収する液状物の量は低下する。
【０１３２】
筒状部１１１の外周面に設けられる螺合構造は、オスコネクタ９５０の雌ネジ９１５と螺合することができれば、実施形態３−１の雄ネジ３１２や、実施形態３−２，３−３の螺旋に沿って延びた螺状突起３２２，３３２に限定されない。例えば、筒状部１１１の外周面からドーム状に突出した単なる突起であってもよい。この場合、突起の数は任意であるが、好ましくは２以上の突起が、チップの中心軸に対して等角度間隔で設けられる。
【０１３３】
本実施形態３−３は、上記を除いて実施形態３−２と同じである。実施形態３−２の説明は本実施形態３−３にも同様に適用されうる。
【０１３４】
本実施形態３−３で説明した螺状突起又は突起（螺合構造）を、他の任意の実施形態のチップの筒状部に適用することができる。
【０１３５】
上記の実施形態１〜３は、例示に過ぎない。本発明は、上記の実施形態に限定されず、適宜変更することができる。
【０１３６】
上記の実施形態では、筒状部以外のチップの部分も吸水性を有する材料で構成されていたが、本発明はこれに限定されない。例えば、オスコネクタ９５０の隙間９１６に挿入される筒状部のみが吸水性を有する材料で構成され、それ以外のチップの部分は任意の材料（例えば、吸水性を有しない材料、高強度の材料等）で構成されていてもよい。
【０１３７】
筒状部１１１の外径及び内径は、オスコネクタ９６０の隙間９１６に挿入できる限りにおいて任意に設定し得る。例えば、筒状部１１１の外径が雌ネジ９１５の内径より小さくてもよく、また、筒状部１１１の内径がオス部材９１１の外周面９１２の最大外径より大きくてもよい。筒状部１１１を隙間９１６に挿入したとき、筒状部１１１と雌ネジ９１５との間、及び／又は、筒状部１１１とオス部材９１１との間に、半径方向に隙間があっても、筒状部１１１をオスコネクタ９５０に対して偏芯させるなどすれば、外筒９１３の内周面及びオス部材９１１の外周面に付着した液状物を筒状部１１１で容易に拭き取ることができる。
【０１３８】
上記の実施形態では、筒状部の内周面は円筒面であったが、筒状部内に挿入されるオス部材９１１の外周面（オステーパ面）９１２に嵌合するようなメステーパ面（例えば、メスコネクタ９２０のメステーパ面９２２と同じメステーパ面）であってもよい。
【０１３９】
上記の実施形態では、筒状部は中空の円筒形状を有していたが、当該円筒形状に、スリット（狭幅の切り込み）や孔が形成されていてもよい。スリットや孔は、筒状部の有効面積が拡大することによる吸水性の向上、隙間９１６内の液状物が外筒９１３外へ流れる流路の確保、または、液状物及びこれに含まれる固形物の拭き取り効果の向上、などに有利となり得る。スリットは、例えば、筒状部の先端（下端）から上方に向かって所定長さで形成することができる。孔は、筒状部を貫通する貫通孔、及び、筒状部を貫通しない非貫通孔（即ち、単なる凹部）のいずれであってもよい。孔は、半径方向に沿って、または、チップの長手方向に沿って、または、チップの中心軸に対して螺旋状に、筒状部内で延びていてもよい。例えば、チップの長手方向に沿った孔が、筒状部の先端から把持部にまで延びていてもよく、更には、チップを貫通していてもよい。孔の形状は、円形、楕円形、スロット状など任意である。
【０１４０】
筒状部１１１が設けられた把持部の構成は、上記の実施形態に限定されず、任意である。把持部の外周面の形状は、円筒面に限定されず、例えば任意の多角柱面（三角柱面、四角柱面、六角柱面、八角柱面など）であってもよい。把持部の外周面に、平面又は凹面（凹部を含む）が設けられていてもよく、ドーム状（半球状）又はリブ状等の突起や、凸部と凹部とからなる凹凸が設けられていてもよい。把持部の材料、硬度、外寸法、チップの長手方向に沿った長さなども、任意である。把持部が、筒状部１１１とは異なる材料で構成されてもよい。
【０１４１】
筒状部１１１の清潔性を保つため、作業者が筒状部１１１に不必要に触れることがないような構成がチップに設けられていてもよい。この構成としては、制限はないが、例えば、把持部と筒状部１１１との境界に沿って線を付けたり、把持部を筒状部１１１とは異なる色に着色したりする等の、視覚を通じて作業者に把持部を認識させるものであってもよく、あるいは、把持部と筒状部１１１との間に半径方向に突出した凸部（例えば周方向に連続した環状の突起）又は凹部（例えば周方向に連続した環状の溝）を設けたり、把持部と筒状部１１１との間に段差が形成されるように把持部の外寸法を筒状部１１１より小さくしたり、把持部に把持面３２４（図１６Ａ参照）や凹凸形状を設けたりする等の、作業者の指が筒状部１１１に触れにくくするような構造若しくは触覚を通じて作業者に把持部を認識させるような構造であってもよい。
【０１４２】
上記の実施形態では、清掃の対象であるオスコネクタが、患者に挿入されたカテーテルの上流側端に設けられていた。但し、オスコネクタはこれに限定されず、例えば当該カテーテルと容器に接続されたチューブとを繋ぐチューブ（延長チューブ）の上流側端に設けられたオスコネクタであってもよい。
【０１４３】
本発明のチップは、オスコネクタを清掃するたびに捨てられる使い捨てタイプであってもよいし、オスコネクタを清掃した後、水などで洗浄し乾燥させることでオスコネクタの清掃に繰り返し使用される繰り返し使用タイプであってもよい。
【産業上の利用可能性】
【０１４４】
本発明の利用分野は、制限はないが、ＩＳＯ８０３６９−３に準拠したオスコネクタの清掃具として好ましく利用することができる。特に、経腸栄養法を行うために患者の体内に挿入されたカテーテルの上流側端に取り付けられたオスコネクタの清掃具として好適である。
【符号の説明】
【０１４５】
１１０，１２０，１３０，１４０，２１０，２２０，２３０，３１０，３２０，３３０  拭き取りチップ
１１１  筒状部
１１２  筒状部の内腔
１３２  突起
１２３，１３３，１４３，２１３，３１３，３２３  把持部
２１１  カバー筒
２２１  溝（流路形成構造）
３１２  雄ネジ（螺合構造）
３２２，３３２  螺状突起（螺合構造）
３２４  把持面
９５０  オスコネクタ
９１１  オス部材
９１３  外筒
９１５  雌ネジ
９１６  オス部材と外筒との間の隙間
【図１】
2020110687.tif 000003
【図２】
2020110687.tif 000004
【図３】
2020110687.tif 000005
【図４】
2020110687.tif 000006
【図５】
2020110687.tif 000007
【図６】
2020110687.tif 000008
【図７】
2020110687.tif 000009
【図８】
2020110687.tif 000010
【図９】
2020110687.tif 000011
【図１０】
2020110687.tif 000012
【図１１】
2020110687.tif 000013
【図１２】
2020110687.tif 000014
【図１３】
2020110687.tif 000015
【図１４】
2020110687.tif 000016
【図１５】
2020110687.tif 000017
【図１６】
2020110687.tif 000018
【図１７】
2020110687.tif 000019
【図１８】
2020110687.tif 000020
【図１９】
2020110687.tif 000021
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
筒状のオス部材と、前記オス部材を取り囲む外筒と、前記外筒の前記オス部材に対向する内周面に設けられた雌ネジとを備えた、ＩＳＯ８０３６９−３に準拠したオスコネクタを拭き取り清掃するための拭き取りチップであって、
前記オス部材と前記外筒との間の隙間に挿入可能な筒状部を備え、
前記隙間に前記筒状部を挿入したとき、前記筒状部の内腔内に前記オス部材が挿入されるように構成され、
前記筒状部の外周面は吸水性を有することを特徴とする拭き取りチップ。
【請求項２】
前記筒状部は、中空の円筒形状を有する請求項１に記載の拭き取りチップ。
【請求項３】
前記筒状部の先端に、外向きに突出した突起が設けられている請求項１又は２に記載の拭き取りチップ。
【請求項４】
前記突起は、前記筒状部の周方向に連続する環状の突起である請求項３に記載の拭き取りチップ。
【請求項５】
前記筒状部が設けられた把持部を更に備え、
前記把持部は、前記筒状部より大きな外径を有する請求項１〜４のいずれか一項に記載の拭き取りチップ。
【請求項６】
前記筒状部が設けられた把持部を更に備え、
前記把持部に平坦な把持面が設けられている請求項１〜５のいずれか一項に記載の拭き取りチップ。
【請求項７】
前記筒状部を取り囲むカバー筒を更に備え、
前記カバー筒は、前記筒状部と前記カバー筒との間に、オスコネクタの前記外筒を挿入することができるように構成されている請求項１〜６のいずれか一項に記載の拭き取りチップ。
【請求項８】
前記筒状部を前記オス部材と前記外筒との間の隙間に挿入したときに液状物が流れる流路が前記筒状部と前記オスコネクタとの間に形成されるように、前記筒状部に流路形成構造が設けられている請求項１〜７のいずれか一項に記載の拭き取りチップ。
【請求項９】
前記流路形成構造は、前記筒状部の外周面又は内周面に設けられた溝である請求項８に記載の拭き取りチップ。
【請求項１０】
前記筒状部の外周面に、前記雌ネジと螺合する螺合構造が設けられている請求項１〜９のいずれか一項に記載の拭き取りチップ。
【請求項１１】
前記螺合構造は、前記筒状部を１回以上周回する螺旋状の雄ネジである請求項１０に記載の拭き取りチップ。
【請求項１２】
前記螺合構造は、前記筒状部の中心軸に対して１８０度未満の角度の範囲内に設けられた突起である請求項１０に記載の拭き取りチップ。
【手続補正２】
【補正対象書類名】明細書
【補正対象項目名】００１２
【補正方法】変更
【補正の内容】
【００１２】
本発明の拭き取りチップは、筒状のオス部材と、前記オス部材を取り囲む外筒と、前記外筒の前記オス部材に対向する内周面に設けられた雌ネジとを備えた、ＩＳＯ８０３６９−３に準拠したオスコネクタを拭き取り清掃するために使用される。前記チップは、前記オス部材と前記外筒との間の隙間に挿入可能な筒状部を備える。前記チップは、前記隙間に前記筒状部を挿入したとき、前記筒状部の内腔内に前記オス部材が挿入されるように構成されている。前記筒状部の外周面は吸水性を有する。